【事件の表示】
　特願２０１３−２４１８２２「透明導電性積層体、タッチパネル、および、表示装置」拒絶査定不服審判事件〔平成２７年　６月　４日出願公開、特開２０１５−１０２９４２、請求項の数（７）〕について、次のとおり審決する。
【結　論】
　原査定を取り消す。
　本願の発明は、特許すべきものとする。
【理　由】
第１　手続の経緯
　本願は、平成２５年１１月２２日の出願であって、平成２９年６月２８日付けで拒絶理由通知がされ、同年９月１日付けで手続補正がされ、平成３０年１月５日付けで拒絶査定（原査定）がされ、これに対し、同年４月１６日に拒絶査定不服審判の請求がされると同時に、手続補正がされたものである。
第２　原査定の概要
　原査定（平成３０年１月５日付け拒絶査定）の概要は次のとおりである。
（進歩性）この出願の請求項１−７に係る発明は、その出願前に日本国内又は外国において、頒布された下記１−４の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　　　　記
引用文献１．特開２００９−２３７６７３号公報
引用文献２．特開２０１１−２２１９３８号公報
引用文献３．特開２０１３−２２５２６６号公報
引用文献４．特許第４６０６４９５号公報
第３　審判請求時の補正について
　審判請求時の補正は、特許法第１７条の２第３項から第６項までの要件に違反しているものとはいえない。
　審判請求時の補正によって請求項１の「第１電極層」を「前記第１電極層は、第１方向に沿って延びる複数の第１電極と、複数の第１配線とを含み、前記複数の第１配線の各々が相互に異なる前記第１電極に接続し、かつ、各第１配線に共通して基板の一側縁部に配置される単一の回路に接続するための配線」とする補正は、補正前の請求項１に記載のあった発明を特定するために必要な事項である「第１電極層」に含まれる「第１配線」を、「各第１配線に共通して基板の一側縁部に配置される単一の回路に接続するための配線」に限定したものであり、審判請求時の補正によって請求項１の「配線不可領域」を「部品を配置する配線不可領域」とする補正は、補正前の請求項１に記載のあった発明を特定するために必要な事項である「配線不可領域」を「部品を配置する」ものに限定したものであり、審判請求時の補正によって請求項１の「接続要素」を「前記複数の第１配線が２つの接続要素を構成し、前記２つの接続要素のうちの１つである基準接続要素と、前記２つの接続要素のうちの１つである分岐接続要素とが隣合い、前記分岐接続要素の経路が前記基準接続要素の経路から分岐」するとする補正は、補正前の請求項１に記載のあった発明を特定するために必要な事項である「複数の接続要素」を「２つの接続要素」に限定したものであり、また、審判請求時の補正によって請求項１の「分岐接続要素」を「前記分岐接続要素は、前記基準接続要素が通る経路から離れ、前記配線不可領域を折れ線状に迂回した後前記基準接続要素が通る経路に合流する経路を有」するとする補正は、補正前の請求項１に記載のあった発明を特定するために必要な事項である「分岐接続要素」を「基準接続要素が通る経路から離れ、前記配線不可領域を折れ線状に迂回した後前記基準接続要素が通る経路に合流する経路を有」するものに限定したものであり、かつ、補正の前後において、請求項１の産業上の利用分野及び解決しようとする課題は同一であり、また、前記追加された事項は当初明細書の段落【００３４】、【００３５】、【００３７】、【００８７】、図２、図３等に記載されているから、特許請求の範囲の減縮を目的とするものであり、また、新規事項を追加するものではないといえる。
　そして、「第４　本願発明」から「第６　対比・判断」までに示すように、補正後の請求項１−１１に係る発明は、独立特許要件を満たすものである。
第４　本願発明
　本願請求項１−７に係る発明（以下、それぞれ「本願発明１」−「本願発明７」という。）は、平成３０年４月１６日付けの手続補正書で補正された特許請求の範囲の請求項１−７に記載された事項により特定される発明であり、本願発明１は以下のとおりの発明である。
「【請求項１】
　第１電極層と、第２電極層と、前記第１電極層と前記第２電極層との間に位置する透明誘電体層とを備える透明導電性積層体であって、
　前記第１電極層は、第１方向に沿って延びる複数の第１電極と、複数の第１配線とを含み、前記複数の第１配線の各々が相互に異なる前記第１電極に接続し、かつ、各第１配線に共通して基板の一側縁部に配置される単一の回路に接続するための配線であり、
　前記第２電極層は、第２方向に沿って延びる複数の第２電極と、複数の第２配線とを含み、前記複数の第２配線の各々が相互に異なる前記第２電極に接続し、
　前記複数の第１配線は、矩形板状を有する基板の周縁部の中で前記基板の一辺に沿った部分である前記一側縁部に設けられ、前記一側縁部には部品を配置する配線不可領域が含まれ、相互に隣合う２つの前記第１配線が１つの配線対であり、
　前記複数の第１配線が２つの接続要素を構成し、前記２つの接続要素のうちの１つである基準接続要素と、前記２つの接続要素のうちの１つである分岐接続要素とが隣合い、前記分岐接続要素の経路が前記基準接続要素の経路から分岐し、
　前記基準接続要素は、前記一側縁部において前記配線不可領域と隣合う直線形状を有した経路を通り、
　前記分岐接続要素は、前記基準接続要素が通る経路から離れ、前記配線不可領域を折れ線状に迂回した後前記基準接続要素が通る経路に合流する経路を有し、
　第１電極層および第２電極層の少なくとも一方は、前記基準接続要素と前記分岐接続要素とに跨る前記配線対における前記分岐による時定数の差を減らす補正パターンを備え、前記補正パターンは前記一側縁部に位置する
　ことを特徴とする透明導電性積層体。」
　なお、本願発明２−７は、本願発明１を直接又は間接的に引用した発明である。
第５　引用文献、引用発明等
１．引用文献１について
　引用文献１には、図面とともに次の事項が記載されている。
ａ）「【０００９】
　以上の問題点に鑑みて、本発明の課題は、
静電容量の変化によって指示位置を検出するにあたって、配線に寄生する容量の配線毎のばらつきを圧縮することにより、検出感度の向上を図ることのできる静電容量型入力装置
ｂ）「【００２３】
　図１において、本形態の入力装置付き表示装置１００は、概ね、画像生成装置としての液晶装置５０と、この画像生成装置において表示光を出射する側の面に重ねて配置されたパネル状の入力装置１０（タッチパネル）とを有している。液晶装置５０は、透過型、反射型あるいは半透過反射型のアクティブマトリクス型の液晶パネル５０ａを備えており、透過型あるいは半透過反射型の液晶パネルの場合、表示光の出射側とは反対側にバックライト装置（図示せず）が配置される。また、液晶装置５０においては、液晶パネル５０ａに対して位相差板や偏光板（図示せず）が重ねて配置される。液晶パネル５０ａは、素子基板５１と、素子基板５１に対して対向配置された対向基板５２と、対向基板５２と素子基板５１との間に保持された液晶層とを備えており、素子基板５１において、対向基板５２の縁から張り出した領域にはフレキシブル基板５３が接続されている。素子基板５１には駆動用ＩＣがＣＯＧ実装されることもある。いずれの場合も、液晶装置５０は動画や静止画を表示可能であり、入力装置１０に対する入力を行う際、入力情報に対応する指示画像を表示する。従って、利用者は、入力装置１０で表示された指示画像を指で接触すれば、情報の入力を行うことができる。
【００２４】
　
入力装置１０は静電容量型のタッチパネルであり、透光性基板１５と、この透光性基板１５に
貼り合わされた透光性のカバー基板４０と、透光性基板１５の端部に接続されたフレキシブル基板１９とを備え
フレキシブル基板１９には、入力装置１０において入力位置の検出を行うための駆動回路
が接続されており、フレキシブル基板１９と透光性基板１５との接続領域が、
信号入出力領域とされ
入力装置１０においては、カバー基板４０の上面によって入力面１０ｂが構成されており、カバー基板４０の略中央領域が指先による入力が行われる入力領域１０ａになって
【００２５】
　図２に示すように、
透光性基板１５の入力面１０ｂ側の面のうち、入力領域１０ａに相当する領域には、矢印Ｘで示す第１方向に延在する複数列の第１透光性電極パターン１１と、矢印Ｙで示す第１方向に交差する第２方向に延在する複数列の第２透光性電極パターン１２とが形成され
ｃ）「【００３１】
　また、
透光性基板１５において入力領域１０ａの外側領域（周辺領域１０ｅ）には、第１透光性電極パターン１１および第２透光性電極パターン１２の各々に電気的に接続する複数の金属配線９ａが形成されており、これらの金属配線９ａの端部は、フレキシブル基板１９を接続するための端子１９ａを構成し
これらの金属配線９ａは、
第１配線９１１〜９１７、および第２配線９２１〜９２６、９２９を構成
ｄ）「【００３３】
　（配線の引き回し構造）
　再び図２において、本形態では、
透光性基板１５において入力領域１０ａの外側の周辺領域１０ｅには、複数の第１透光性電極パターン１１から延在する複数の第１配線９１１〜９１９が第１信号入出力領域９５０まで互いに並列して延在する第１配線領域９５５が形成され
第１信号入出力領域９５０は、入力領域１０ａに対してＹ方向における一方側に配置され、第１配線領域９５５は、複数個所で屈曲しながら、入力領域１０ａのＸ方向における一方の端辺１０ｓから端辺１０ｓに沿うように第１信号入出力領域９５０まで延在し
【００３４】
　
また、透光性基板１５において入力領域１０ａの外側の周辺領域１０ｅには、複数の第２透光性電極パターン１２から延在する複数の第２配線９２１〜９２６、９２９が第２信号入出力領域９６０まで延在し
第２信号入出力領域９６０も、第１信号入出力領域９５０と同様、入力領域１０ａに対してＹ方向における一方側に配置され、第２信号入出力領域９６０と第１信号入出力領域９５０とは透光性基板１５の基板辺に沿うように直線状に並んで
【００３５】
　ここで、入力領域１０ａは、Ｙ方向において第２信号入出力領域９６０側に位置する第１入力領域１０１ａと、Ｙ方向において第２信号入出力領域９６０側とは反対側に位置する第２入力領域１０２ａとに分割され、それに伴って、第２透光性電極パターン１２も、第１入力領域１０１ａと第２入力領域１０２ａとの間で分割されている。このため、
複数の第２透光性電極パターン１２から延在する配線の配線領域（第２配線領域）は、２つに分割されており、
【００３６】
　これに対して、第２入力領域１０１ａ（当審注：「１０１ａ」は「１０２ａ」の誤記と認める。）から第２信号入出力領域９６０に向けて延在する
遠距離第２配線領域９６２は、入力領域１０ａに対して第２信号入出力領域９６０側とは反対側に位置する端辺１０ｔから、複数個所で屈曲しながら、入力領域１０ａのＸ方向における端辺１０ｓとは反対側の端辺１０ｕに沿うように第２信号入出力領域９６０まで屈曲しながら延在し
【００３７】
　（寄生容量および配線抵抗のばらつき対策）
　図２を参照して説明したように、
第１配線領域９５５は、入力領域１０ａのＸ方向における一方の端辺１０ｓから端辺１０ｓに沿うように第１信号入出力領域９５０まで延在しているため、第１配線領域９５５では、各第１配線９１１〜９１９の長さ寸法が大きく相違し、かつ、配線同士が近接し
複数の第１配線９１１〜９１９において、隣接する配線との間に寄生する容量や、配線抵抗が配線毎に大きく相違
【００３８】
　
また、遠距離第２配線領域９６２は、入力領域１０ａの端辺１０ｔから端辺１０ｕに沿うように第２信号入出力領域９６０まで延在しており、かかる遠距離第２配線領域９６２では、各第２配線９２１〜９２６の長さ寸法が大きく相違し、かつ、配線同士が近接し
複数の第２配線９２１〜９２６において、隣接する配線との間に寄生する容量や、配線抵抗が配線毎に大きく相違
【００３９】
　
このような寄生容量の配線毎のばらつきを解消するために、
第１配線領域９５５の両端部の各々に沿うように、両端部で延在する第１配線９１１、９１９との間に寄生容量を生成する第１補助配線９７１および第２補助配線９７２が延在し
第１補助配線９７１は、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有し
また、第２補助配線９７２も、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有し
【００４０】
　また、本形態では、
遠距離第２配線領域９６２でも、第１配線領域９５５と同様、外側の端部に沿うように、この端部で延在する第２配線９２６との間に寄生容量を生成する第１補助配線９７１が延在し
第１補助配線９７１は、第２配線領域９６２（第２配線９２１〜９２６）と同様、Ｙ方向に直線的に延在する部位９６２ｅと、部位９６２ｅから端辺１０ｔに平行にＸ方向に延在する部位９６２ｄと、部位９６２ｄから入力領域１０ａの端辺１０ｕに沿うようにＹ方向に直角に折り曲がって延在する部位９６２ｃと、部位９６２ｃから第２信号入出力領域９６０と入力領域１０ａとによって挟まれた領域に向けてＸ方向に直角に折れ曲がった部位９６２ｂと、部位９６２ｂから第２信号入出力領域９６０の側方向に向けてＹ方向に直角に折れ曲がった部位９６２ａとを有し
【００４１】
　ここで、第１補助配線９７１は、第２補助配線９７２に比して入力領域１０ａから遠い位置を通っており、入力領域１０ａを外周側で囲む外周側シールド線を構成している。また、第２補助配線９７２は、第１補助配線９７１と同一電位に保持されており、本形態では、
第１補助配線９７１および第２補助配線９７２に定電位（グランド電位）が印加され
【００４２】
　かかる第１補助配線９７１および第２補助配線９７２を形成するにあたって、具体的には、第１補助配線９７１および第２補助配線９７２を第１配線９１１〜９１９および第２配線９２１〜９２６、９２９の形成と同時に行い、第１信号入出力領域９５０と第２信号入出力領域９６０に並列した端子を介して第１補助配線９７１および第２補助配線９７２を外部と接続し、外部から第１補助配線９７１および第２補助配線９７２にグランド電位を印加する。かかる構成を採用すれば、図３（ｃ）に示す金属配線９ａによって、第１配線９１１〜９１７、および第２配線９２１〜９２６、９２９とともに、第１補助配線９７１および第２補助配線９７２を形成することができる。従って、新たな工程を追加しなくても第１補助配線９７１および第２補助配線９７２を形成できるので、生産性を向上することができる。
【００４３】
　また、第１補助配線９７１および第２補助配線９７２を形成するにあたっては、第１補助配線９７１および第２補助配線９７２を第１配線９１１〜９１９および第２配線９２１〜９２６、９２９とは別の層で形成してもよい。例えば、図３（ｃ）に示すように、第１配線９１１〜９１９および第２配線９２１〜９２６、９２９を層間絶縁膜４ｂで覆うとともに、層間絶縁膜４ｂの上層に第１補助配線９７１および第２補助配線９７２形成し、第１信号入出力領域９５０と第２信号入出力領域９６０に並列した端子に層間絶縁膜４ｂの除去領域を介して第１補助配線９７１および第２補助配線９７２を接続してもよい。この場合も、第１補助配線９７１および第２補助配線９７２を端子を介して外部と接続し、外部からグランド電位を印加すればよい。このように構成すると、第１補助配線９７１およ
び第２補助配線９７２が第１配線９１１〜９１９と第２配線９２１〜９２６、９２９と交差するように形成しても短絡することがない。それ故、第１補助配線９７１と第２補助配線９７２とを繋げた構成や、第１補助配線９７１が入力領域１０ａの外周側を全周で囲んだ構成などを実現することができる。第１補助配線９７１と第２補助配線９７２とを繋げた構成を採用すれば、第１補助配線９７１と第２補助配線９７２にグランド電位を印加するための端子の数を減らすことができるなどの利点がある。また、第１補助配線９７１が入力領域１０ａの外周側を全周で囲んだ構成を採用すれば、外部から入力領域１０ａにノイズが侵入することを確実に防止できるという利点がある。
【００４４】
　また、本形態では、
第１配線領域９５５に形成された第１配線９１１〜９１９は、隣接する配線の間隔が、配線長が長い配線では、配線長が短い配線に比して、長さ方向の少なくとも一部分で広くなって
また、第１配線領域９５５に形成された第１配線９１１〜９１９は、配線長が長い配線では、配線長が短い配線に比して、長さ方向の少なくとも一部分で幅寸法が広くなって
【００４５】
　また、
長距離第２配線領域９６２に形成された第２配線９２１〜９２６は、隣接する配線の間隔が、配線長が長い配線では、配線長が短い配線に比して、長さ方向の少なくとも一部分で広くなって
また、長距離第２配線領域９６２に形成された第２配線９２１〜９２６は、配線長が長い配線では、配線長が短い配線に比して、長さ方向の少なくとも一部分で幅寸法が広くなっている
　上記下線部及び関連箇所の記載によれば、引用文献１には、静電容量型入力装置として、以下の発明（以下、「引用発明」という。）が記載されている。
　「静電容量の変化によって指示位置を検出するにあたって、配線に寄生する容量の配線毎のばらつきを圧縮することにより、検出感度の向上を図ることのできる静電容量型入力装置であって、
　入力装置１０は静電容量型のタッチパネルであり、透光性基板１５と、この透光性基板１５に貼り合わされた透光性のカバー基板４０と、透光性基板１５の端部に接続されたフレキシブル基板１９とを備え、フレキシブル基板１９には、入力装置１０において入力位置の検出を行うための駆動回路が接続されており、フレキシブル基板１９と透光性基板１５との接続領域が、信号入出力領域とされ、
　入力装置１０においては、カバー基板４０の上面によって入力面１０ｂが構成されており、カバー基板４０の略中央領域が指先による入力が行われる入力領域１０ａになっており、
　透光性基板１５の入力面１０ｂ側の面のうち、入力領域１０ａに相当する領域には、第１方向に延在する複数列の第１透光性電極パターン１１と、第１方向に交差する第２方向に延在する複数列の第２透光性電極パターン１２とが形成され、
　透光性基板１５において入力領域１０ａの外側領域（周辺領域１０ｅ）には、第１透光性電極パターン１１および第２透光性電極パターン１２の各々に電気的に接続する複数の金属配線９ａが形成されており、これらの金属配線９ａの端部は、フレキシブル基板１９を接続するための端子１９ａを構成し、これらの金属配線９ａは、第１配線９１１〜９１７、および第２配線９２１〜９２６、９２９を構成し、
　透光性基板１５において入力領域１０ａの外側の周辺領域１０ｅには、複数の第１透光性電極パターン１１から延在する複数の第１配線９１１〜９１９が第１信号入出力領域９５０まで互いに並列して延在する第１配線領域９５５が形成され、第１信号入出力領域９５０は、入力領域１０ａに対してＹ方向における一方側に配置され、第１配線領域９５５は、複数個所で屈曲しながら、入力領域１０ａのＸ方向における一方の端辺１０ｓから端辺１０ｓに沿うように第１信号入出力領域９５０まで延在し、
　また、透光性基板１５において入力領域１０ａの外側の周辺領域１０ｅには、複数の第２透光性電極パターン１２から延在する複数の第２配線９２１〜９２６、９２９が第２信号入出力領域９６０まで延在し、第２信号入出力領域９６０も、第１信号入出力領域９５０と同様、入力領域１０ａに対してＹ方向における一方側に配置され、第２信号入出力領域９６０と第１信号入出力領域９５０とは透光性基板１５の基板辺に沿うように直線状に並んでおり、
　複数の第２透光性電極パターン１２から延在する配線の配線領域（第２配線領域）は、２つに分割されており、遠距離第２配線領域９６２は、入力領域１０ａに対して第２信号入出力領域９６０側とは反対側に位置する端辺１０ｔから、複数個所で屈曲しながら、入力領域１０ａのＸ方向における端辺１０ｓとは反対側の端辺１０ｕに沿うように第２信号入出力領域９６０まで屈曲しながら延在し、
　第１配線領域９５５は、入力領域１０ａのＸ方向における一方の端辺１０ｓから端辺１０ｓに沿うように第１信号入出力領域９５０まで延在しているため、第１配線領域９５５では、各第１配線９１１〜９１９の長さ寸法が大きく相違し、かつ、配線同士が近接し、複数の第１配線９１１〜９１９において、隣接する配線との間に寄生する容量や、配線抵抗が配線毎に大きく相違し、
　また、遠距離第２配線領域９６２は、入力領域１０ａの端辺１０ｔから端辺１０ｕに沿うように第２信号入出力領域９６０まで延在しており、かかる遠距離第２配線領域９６２では、各第２配線９２１〜９２６の長さ寸法が大きく相違し、かつ、配線同士が近接し、複数の第２配線９２１〜９２６において、隣接する配線との間に寄生する容量や、配線抵抗が配線毎に大きく相違し、
　このような寄生容量の配線毎のばらつきを解消するために、第１配線領域９５５の両端部の各々に沿うように、両端部で延在する第１配線９１１、９１９との間に寄生容量を生成する第１補助配線９７１および第２補助配線９７２が延在し、
　第１補助配線９７１は、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有し、
　また、第２補助配線９７２も、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有し、
　遠距離第２配線領域９６２でも、第１配線領域９５５と同様、外側の端部に沿うように、この端部で延在する第２配線９２６との間に寄生容量を生成する第１補助配線９７１が延在し、
　第１補助配線９７１は、第２配線領域９６２（第２配線９２１〜９２６）と同様、Ｙ方向に直線的に延在する部位９６２ｅと、部位９６２ｅから端辺１０ｔに平行にＸ方向に延在する部位９６２ｄと、部位９６２ｄから入力領域１０ａの端辺１０ｕに沿うようにＹ方向に直角に折り曲がって延在する部位９６２ｃと、部位９６２ｃから第２信号入出力領域９６０と入力領域１０ａとによって挟まれた領域に向けてＸ方向に直角に折れ曲がった部位９６２ｂと、部位９６２ｂから第２信号入出力領域９６０の側方向に向けてＹ方向に直角に折れ曲がった部位９６２ａとを有し、
　第１補助配線９７１および第２補助配線９７２に定電位（グランド電位）が印加され、
　第１配線領域９５５に形成された第１配線９１１〜９１９は、隣接する配線の間隔が、配線長が長い配線では、配線長が短い配線に比して、長さ方向の少なくとも一部分で広くなっており、
　また、第１配線領域９５５に形成された第１配線９１１〜９１９は、配線長が長い配線では、配線長が短い配線に比して、長さ方向の少なくとも一部分で幅寸法が広くなっており、
　長距離第２配線領域９６２に形成された第２配線９２１〜９２６は、隣接する配線の間隔が、配線長が長い配線では、配線長が短い配線に比して、長さ方向の少なくとも一部分で広くなっており、
　また、長距離第２配線領域９６２に形成された第２配線９２１〜９２６は、配線長が長い配線では、配線長が短い配線に比して、長さ方向の少なくとも一部分で幅寸法が広くなっている
　静電容量型入力装置。」
第６　対比・判断
１．本願発明１について
（１）対比
　本願発明１と引用発明とを対比する。
ア．引用発明は、「透光性基板１５の入力面１０ｂ側の面のうち、入力領域１０ａに相当する領域には、第１方向に延在する複数列の第１透光性電極パターン１１と、第１方向に交差する第２方向に延在する複数列の第２透光性電極パターン１２とが形成され」たものであるから、引用発明が「第１透光性電極パターン１１」、「第２透光性電極パターン１２」が形成される層を備えることは明らかであり、引用発明の「第１透光性電極パターン１１」、「第２透光性電極パターン１２」が形成される層は、本願発明１の「第１電極層」、「第２電極層」と、「電極層」である点で共通するといえ、引用発明の「透光性基板１５」は、本願発明１の「前記第１電極層と前記第２電極層との間に位置する透明誘電体層」と「透明誘電体層」である点で共通するといえる。
　また、引用発明の「静電容量型入力装置」は、「透光性基板１５と、この透光性基板１５に貼り合わされた透光性のカバー基板４０」を備えるものであるから積層体であり、本願発明１の「第１電極層と、第２電極層と、前記第１電極層と前記第２電極層との間に位置する透明誘電体層とを備える透明導電性積層体」と「電極層と、透明誘電体層とを備える透明導電性積層体」である点で共通するといえる。
イ．引用発明が「透光性基板１５の入力面１０ｂ側の面のうち、入力領域１０ａに相当する領域には、」「第１方向に交差する第２方向に延在する複数列の第２透光性電極パターン１２とが形成され」るものであることは、本願発明１の「前記第１電極層は、第１方向に沿って延びる複数の第１電極」「を含」むことと「前記電極層は、第１方向に沿って延びる複数の第１電極」「を含」点では共通するといえる。
　また、引用発明は、「透光性基板１５において入力領域１０ａの外側領域（周辺領域１０ｅ）には、」「第２透光性電極パターン１２の各々に電気的に接続する複数の金属配線９ａが形成されており、これらの金属配線９ａの端部は、フレキシブル基板１９を接続するための端子１９ａを構成し、これらの金属配線９ａは、」「第２配線９２１〜９２６、９２９を構成し、」「透光性基板１５において入力領域１０ａの外側の周辺領域１０ｅには、複数の第２透光性電極パターン１２から延在する複数の第２配線９２１〜９２６、９２９が第２信号入出力領域９６０まで延在し、第２信号入出力領域９６０も、」「入力領域１０ａに対してＹ方向における一方側に配置され、第２信号入出力領域９６０」「は透光性基板１５の基板辺に沿うように直線状に並んで」いることは、本願発明１の「前記第１電極層は、」「複数の第１配線とを含み、前記複数の第１配線の各々が相互に異なる前記第１電極に接続し、かつ、各第１配線に共通して基板の一側縁部に配置される単一の回路に接続するための配線であ」ることと「前記電極層は、」「複数の第１配線とを含み、前記複数の第１配線の各々が相互に異なる前記第１電極に接続し、かつ、各第１配線に共通して基板の一側縁部に配置される単一の回路に接続するための配線であ」る点では共通するといえる。
ウ．引用発明は、「透光性基板１５の入力面１０ｂ側の面のうち、入力領域１０ａに相当する領域には、第１方向に延在する複数列の第１透光性電極パターン１１」「が形成され」るものであることは、本願発明１の「前記第２電極層は、第２方向に沿って延びる複数の第２電極」「を含」むことと「前記電極層は、第２方向に沿って延びる複数の第２電極」「を含」む点では共通するといえる。
　また、引用発明は、「透光性基板１５において入力領域１０ａの外側領域（周辺領域１０ｅ）には、第１透光性電極パターン１１」「に電気的に接続する複数の金属配線９ａが形成されており、これらの金属配線９ａの端部は、フレキシブル基板１９を接続するための端子１９ａを構成し、これらの金属配線９ａは、第１配線９１１〜９１７」「を構成」することは、本願発明１の「前記第２電極層は、」「複数の第２配線とを含み、前記複数の第２配線の各々が相互に異なる前記第２電極に接続」することと「前記電極層は、」「複数の第２配線とを含み、前記複数の第２配線の各々が相互に異なる前記第２電極に接続」する点では共通するといえる。
エ．引用発明の「複数の第２配線９２１〜９２６、９２９が第２信号入出力領域９６０まで延在」することは、本願発明１の「前記複数の第１配線は、矩形板状を有する基板の周縁部の中で前記基板の一辺に沿った部分である前記一側縁部に設けられ」ることに相当する。
　また、引用発明の「複数の第２配線」の隣り合う配線同士は配線対ともいい得るものである。
　したがって、引用発明の「複数の第２配線」は、本願発明１の「前記複数の第１配線は、矩形板状を有する基板の周縁部の中で前記基板の一辺に沿った部分である前記一側縁部に設けられ、前記一側縁部には部品を配置する配線不可領域が含まれ、相互に隣合う２つの前記第１配線が１つの配線対であ」ることと「前記複数の第１配線は、矩形板状を有する基板の周縁部の中で前記基板の一辺に沿った部分である前記一側縁部に設けられ、相互に隣合う２つの前記第１配線が１つの配線対であ」る点で共通するといえる。
オ．引用発明は、「寄生容量の配線毎のばらつきを解消するために、第１配線領域９５５の両端部の各々に沿うように、両端部で延在する第１配線９１１、９１９との間に寄生容量を生成する第１補助配線９７１および第２補助配線９７２が延在し、第１補助配線９７１は、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有し、また、第２補助配線９７２も、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有し、」「遠距離第２配線領域９６２でも、第１配線領域９５５と同様、外側の端部に沿うように、この端部で延在する第２配線９２６との間に寄生容量を生成する第１補助配線９７１が延在し、第１補助配線９７１は、第２配線領域９６２（第２配線９２１〜９２６）と同様、Ｙ方向に直線的に延在する部位９６２ｅと、部位９６２ｅから端辺１０ｔに平行にＸ方向に延在する部位９６２ｄと、部位９６２ｄから入力領域１０ａの端辺１０ｕに沿うようにＹ方向に直角に折り曲がって延在する部位９６２ｃと、部位９６２ｃから第２信号入出力領域９６０と入力領域１０ａとによって挟まれた領域に向けてＸ方向に直角に折れ曲がった部位９６２ｂと、部位９６２ｂから第２信号入出力領域９６０の側方向に向けてＹ方向に直角に折れ曲がった部位９６２ａとを有」するものであり、配線間の寄生容量のばらつきが時定数の差を生じさせることは当業者には明らかであるから、引用発明が「第２信号入出力領域９６０の側方向に向けてＹ方向に直角に折れ曲がった部位９６２ａとを有」する「第１補助配線９７１」を有することは、本願発明１の「第１電極層および第２電極層の少なくとも一方は、前記基準接続要素と前記分岐接続要素とに跨る前記配線対における前記分岐による時定数の差を減らす補正パターンを備え、前記補正パターンは前記一側縁部に位置する」ことと「電極層は、前記配線対における時定数の差を減らす補正パターンを備え、前記補正パターンは前記一側縁部に位置する」点で共通するといえる。
　したがって、本願発明１と引用発明との間には、次の一致点と相違点とがあるといえる。
〈一致点〉
　「電極層と、透明誘電体層とを備える透明導電性積層体であって、
　前記電極層は、第１方向に沿って延びる複数の第１電極と、複数の第１配線とを含み、前記複数の第１配線の各々が相互に異なる前記第１電極に接続し、かつ、各第１配線に共通して基板の一側縁部に配置される単一の回路に接続するための配線であり、
　前記電極層は、第２方向に沿って延びる複数の第２電極と、複数の第２配線とを含み、前記複数の第２配線の各々が相互に異なる前記第２電極に接続し、
　前記複数の第１配線は、矩形板状を有する基板の周縁部の中で前記基板の一辺に沿った部分である前記一側縁部に設けられ、相互に隣合う２つの前記第１配線が１つの配線対であり、
　電極層は、前記配線対における時定数の差を減らす補正パターンを備え、前記補正パターンは前記一側縁部に位置する
　透明導電性積層体。」
である点。
〈相違点１〉
　本願発明１は、「第１電極層と、第２電極層と、前記第１電極層と前記第２電極層との間に位置する透明誘電体層とを備える」ものであり、「第１電極」は「第１電極層」に、「第２電極」は「第２電極層」に、「補正パターン」は「第１電極層および第２電極層の少なくとも一方」に含まれるものであるのに対し、引用発明は、「透光性基板１５の入力面１０ｂ側の面のうち、入力領域１０ａに相当する領域には、第１方向に延在する複数列の第１透光性電極パターン１１と、第１方向に交差する第２方向に延在する複数列の第２透光性電極パターン１２とが形成され」、「第１補助電極」、「第２補助電極」も「透光性基板１５」上の配線領域に形成されるものである点。
〈相違点２〉
　本願発明１は、「基板」の「前記一側縁部には部品を配置する配線不可領域が含まれ」るものであるのに対し、引用発明は、「透光性基板１」は配線不可領域が含まれるものとはされていない点。
〈相違点３〉
　本願発明１は、「前記複数の第１配線が２つの接続要素を構成し、前記２つの接続要素のうちの１つである基準接続要素と、前記２つの接続要素のうちの１つである分岐接続要素とが隣合い、前記分岐接続要素の経路が前記基準接続要素の経路から分岐し、前記基準接続要素は、前記一側縁部において前記配線不可領域と隣合う直線形状を有した経路を通り、前記分岐接続要素は、前記基準接続要素が通る経路から離れ、前記配線不可領域を折れ線状に迂回した後前記基準接続要素が通る経路に合流する経路を有」するものであるのに対し、引用発明は、「第２配線」が２つの接続要素を構成するものではない点。
〈相違点４〉
　本願発明１は、「補正パターン」は「前記基準接続要素と前記分岐接続要素とに跨る前記配線対における前記分岐による時定数の差を減らす」ものであるのに対し、引用発明は、「寄生容量の配線毎のばらつきを解消する」ものではあるものの、「前記基準接続要素と前記分岐接続要素とに跨る前記配線対における前記分岐による時定数の差を減らす」ものとはされていない点。
（２）相違点についての判断
　事案に鑑み、上記相違点２及び相違点３について、第１配線に関連する相違点であるので、まとめて検討する。
　一般に、基板上に、他の部品の配置位置やネジ孔など、配線をすることができない領域が生じることは、例示するまでも無く周知のことであり、当該領域を迂回するように配線することも例示するまでも無く周知技術に過ぎないものと認められる。
　しかしながら、配線をすることができない領域（配線不可領域）を「単一の回路」が配置される「基板の一側縁部」に設けると共に、「複数の第１配線が２つの接続要素を構成し、前記２つの接続要素のうちの１つである基準接続要素と、前記２つの接続要素のうちの１つである分岐接続要素とが隣合い、前記分岐接続要素の経路が前記基準接続要素の経路から分岐し、前記基準接続要素は、前記一側縁部において前記配線不可領域と隣合う直線形状を有した経路を通り、前記分岐接続要素は、前記基準接続要素が通る経路から離れ、前記配線不可領域を折れ線状に迂回した後前記基準接続要素が通る経路に合流する経路」とすることまでが周知のことであるとはいえない。
　また、引用文献２−４にも、配線を経路の異なる２つの接続要素を構成するものとすることは、記載も示唆もされていない。
　そして、配線不可領域を含まない引用発明において、「第２配線」を「２つの接続要素を構成し、前記２つの接続要素のうちの１つである基準接続要素と、前記２つの接続要素のうちの１つである分岐接続要素とが隣合い、前記分岐接続要素の経路が前記基準接続要素の経路から分岐し、前記基準接続要素は、前記一側縁部において前記配線不可領域と隣合う直線形状を有した経路を通り、前記分岐接続要素は、前記基準接続要素が通る経路から離れ、前記配線不可領域を折れ線状に迂回した後前記基準接続要素が通る経路に合流する経路」のものとする、積極的な動機はない。
　したがって、本願発明１は、相違点１及び相違点４を検討するまでもなく、当業者であっても、引用発明及び上記周知技術に基づいて容易に発明できたものであるとはいえない。
２．本願発明２−７について
　本願発明２−７は、本願発明１を直接又は間接的に引用するものであり、上記「１．請求項１について」にて述べたのと同じ理由により、当業者であっても、引用発明及び上記周知技術に基づいて容易に発明できたものであるとはいえない。
第７　原査定について
　本願発明１−７は、「基板」の「前記一側縁部には部品を配置する配線不可領域が含まれ」、「前記複数の第１配線が２つの接続要素を構成し、前記２つの接続要素のうちの１つである基準接続要素と、前記２つの接続要素のうちの１つである分岐接続要素とが隣合い、前記分岐接続要素の経路が前記基準接続要素の経路から分岐し、前記基準接続要素は、前記一側縁部において前記配線不可領域と隣合う直線形状を有した経路を通り、前記分岐接続要素は、前記基準接続要素が通る経路から離れ、前記配線不可領域を折れ線状に迂回した後前記基準接続要素が通る経路に合流する経路を有」するものであり、当業者であっても、拒絶査定において引用された引用文献１−４に基づいて、容易に発明できたものとはいえない。
　したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。